(57)【要約】【課題】安全かつ効率的なプレーヤーのプレー進行管理ができない。【解決手段】本発明のプレーヤー安全管理システムは、選択されたクラブを特定するクラブ情報を携帯端末に送信する第１送信部を有するクラブと、クラブの想定飛距離に基づき、クラブ情報で特定されるクラブの飛距離情報を生成する飛距離情報生成部と、プレーヤー位置情報を取得する位置情報取得部と、飛距離情報およびプレーヤー位置情報を管理サーバに送信する第２送信部とを有する携帯端末と、ゴルフコースでプレーする全てのプレーヤーの位置情報とゴルフコースの地理的情報を記憶する情報記憶部と、飛距離情報およびプレーヤー位置情報と記憶された地理的情報および全てのプレーヤーの位置情報とに基づき、プレー進行の可否を判定する判定部と、プレー進行不可と判定された場合、プレー進行不可を示すプレー進行不可信号を携帯端末に送信する第３送信部とを有する管理サーバからなる。【選択図】図１
2010167176.tif 000002
【特許請求の範囲】
【請求項１】
クラブと、ゴルフコースでプレーするプレーヤーに携帯される携帯端末と、管理サーバと、からなるプレーヤー安全管理システムであって、
前記クラブは、
前記プレーヤーがプレーに使用するクラブに選択されたことを検出する検出部と、
前記検出されたクラブを特定するクラブ情報を前記携帯端末に送信する第１送信部と、を有し、
前記携帯端末は、
前記送信されたクラブ情報を受信する第１受信部と、
前記クラブの想定飛距離を記憶する飛距離記憶部と、
前記記憶された想定飛距離に基づき、前記クラブ情報で特定されるクラブの飛距離を示す飛距離情報を生成する飛距離情報生成部と、
前記プレーヤーの位置情報を取得する位置情報取得部と、
前記飛距離情報および前記プレーヤーの位置情報を前記管理サーバに送信する第２送信部と、
前記管理サーバから送信される、前記プレーヤーにプレーの進行禁止を通知するプレー進行不可信号を受信する第２受信部と、を有し、
前記管理サーバは、
前記送信された飛距離情報および前記プレーヤーの位置情報を受信する第３受信部と、
前記ゴルフコースでプレーする全てのプレーヤーにそれぞれ携帯される携帯端末から送信された全てのプレーヤーの位置情報を記憶するプレーヤー位置情報記憶部と、
前記ゴルフコースの地理的情報を記憶する地理的情報記憶部と、
前記受信された飛距離情報および前記プレーヤーの位置情報と、前記記憶された地理的情報および前記プレーヤー以外の他のプレーヤーの位置情報と、に基づき、前記プレーヤーのプレーの進行の可否を判定する判定部と、
前記プレーヤーのプレーの進行が不可と判定された場合、前記プレー進行不可信号を生成するプレー進行不可信号生成部と、
前記生成されたプレー進行不可信号を前記携帯端末に送信する第３送信部と、を有するプレーヤー安全管理システム。
【請求項２】
前記判定部は、前記受信された飛距離情報および前記プレーヤーの位置情報と、前記記憶された地理的情報に基づき、前記プレーヤーの打球の飛行範囲を特定し、前記記憶された前記他のプレーヤーの位置情報に基づき、前記飛行範囲に前記他のプレーヤーが存在するかを判定し、
前記プレー進行不可信号生成部は、前記飛行範囲に前記他のプレーヤーが存在すると判定された場合、前記プレー進行不可信号を生成する、請求項１記載のプレーヤー安全管理システム。
【請求項３】
前記携帯端末は、
前記プレー進行不可信号の受信に応答して、前記クラブを構成するグリップ部を振動させるグリップ振動信号を生成するグリップ振動信号生成部と、
前記生成されたグリップ振動信号を前記クラブに送信する第４送信部と、を有し、
前記クラブは、
前記送信されたグリップ振動信号を受信する第４受信部と、
前記グリップ振動信号の受信に応答して、前記グリップ部を振動させる振動部と、を更に有する請求項１または２記載のプレーヤー安全管理システム。
【請求項４】
前記検出部は、前記グリップ部を前記プレーヤーが把持したことにより、前記プレーヤーがプレーに使用するクラブに選択されたことを検出する、請求項１から３のいずれかに記載のプレーヤー安全管理システム。
【請求項５】
前記検出部は、前記グリップ部を前記プレーヤーが所定の時間以上把持した場合に、前記プレーヤーがプレーに使用するクラブに選択されたことを検出する、請求項４記載のプレーヤー安全管理システム。
【請求項６】
前記第３送信部は、前記地理的情報に、前記飛行範囲を示す情報と、前記他のプレーヤーの位置情報とを含むホール情報を更に送信し、
前記第２受信部は、前記送信されたホール情報を更に受信し、
前記携帯端末は、
前記受信されたホール情報を表示する表示部を更に有する請求項２から５のいずれかに記載のプレーヤー安全管理システム。
【請求項７】
前記携帯端末は、
アラーム音を発生するアラーム音発生部を更に有し、
前記アラーム音発生部は、前記プレー進行不可信号の受信に応答して、アラーム音を発生する、請求項１から６のいずれかに記載のプレーヤー安全管理システム。
【請求項８】
ゴルフコースでプレーするプレーヤーに携帯され、プレーヤーの使用するクラブおよび管理サーバと通信を行う携帯端末であって、
プレーヤーがプレーに使用すると選択したクラブを特定するクラブ情報を前記クラブから受信する第１受信部と、
前記クラブの想定飛距離を記憶する飛距離記憶部と、
前記記憶された飛距離に基づき、前記クラブ情報で特定されるクラブの飛距離を示す飛距離情報を生成する飛距離情報生成部と、
前記プレーヤーの位置情報を取得する位置情報取得部と、
前記飛距離情報および前記プレーヤーの位置情報を前記管理サーバに送信する第１送信部と、
前記管理サーバから送信された、前記プレーヤーにプレーの進行禁止を通知するプレー進行不可信号を受信する第２受信部と、を有する携帯端末。
【請求項９】
前記プレー進行不可信号の受信に応答して、前記クラブを構成するグリップ部を振動させるグリップ振動信号を生成するグリップ振動信号生成部と、
前記生成されたグリップ振動信号を前記クラブに送信する第２送信部と、を更に有する請求項８記載の携帯端末。
【請求項１０】
前記第２受信部は、前記ゴルフコースの地理的情報に、前記飛距離情報に基づき前記管理サーバが想定した前記プレーヤーの打球の飛行範囲を示す情報と、前記管理サーバに記憶された前記プレーヤー以外の他のプレーヤーの位置情報と、を含むホール情報を更に受信し、
前記受信されたホール情報を表示する表示部を更に有する請求項８または９記載の携帯端末。
【請求項１１】
アラーム音を発生するアラーム音発生部を更に有し、
前記アラーム音発生部は、前記プレー進行不可信号の受信に応答して、アラーム音を発生する請求項８から１０のいずかれに記載の携帯端末。
【請求項１２】
ゴルフコースでプレーするプレーヤーに携帯される携帯端末から、前記プレーヤーがプレーに使用すると選択したクラブの飛距離を示す飛距離情報と、前記プレーヤーの位置情報とを受信する受信部と、
前記ゴルフコースをプレーする全てのプレーヤーにそれぞれ携帯される携帯端末から送信された全てのプレーヤーの位置情報を記憶するプレーヤー位置情報記憶部と、
前記ゴルフコースの地理的情報を記憶する地理的情報記憶部と、
前記受信された飛距離情報および前記プレーヤーの位置情報と、前記記憶された地理的情報および前記プレーヤー以外の他のプレーヤーの位置情報と、に基づき、前記プレーヤーのプレーの進行の可否を判定する判定部と、
前記プレーヤーのプレーの進行が不可と判定された場合、前記プレーヤーにプレーの進行禁止を通知するプレー進行不可信号を生成するプレー進行不可信号生成部と、
前記生成されたプレー進行不可信号を前記携帯端末に送信する送信部と、を有する管理サーバ。
【請求項１３】
前記判定部は、前記受信された飛距離情報および前記プレーヤーの位置情報と、前記記憶された地理的情報に基づき、前記プレーヤーの打球の飛行範囲を特定し、前記記憶された前記他のプレーヤーの位置情報に基づき、前記飛行範囲に前記他のプレーヤーが存在するかを判定し、
前記プレー進行不可信号生成部は、前記飛行範囲に前記他のプレーヤーが存在すると判定された場合、前記プレー進行不可信号を生成する、請求項１２記載の管理サーバ。
【請求項１４】
前記送信部は、前記地理的情報に、前記飛行範囲を示す情報と、前記他のプレーヤーの位置情報を含むホール情報を更に送信する、請求項１３記載の管理サーバ。
【請求項１５】
ゴルフコースでプレーするプレーヤーに携帯される携帯端末と通信を行うクラブであって、
前記クラブの飛距離に基づき、プレーヤーがプレーを進行することが不可であると判定された場合に、前記携帯端末から送信される、前記クラブを構成するグリップ部を振動させるグリップ振動信号を受信するグリップ振動信号受信部と、
前記グリップ振動信号の受信に応答して、前記グリップ部を振動させる振動部と、を有するクラブ。
【請求項１６】
前記プレーヤーがプレーに使用するクラブに選択されたことを検出する検出部と、
前記検出部で検出されたクラブを特定するクラブ情報を前記携帯端末に送信する送信部と、を更に有する請求項１５記載のクラブ。
【請求項１７】
前記検出部は、前記グリップ部をプレーヤーが把持することにより、前記プレーヤーがプレーに使用するクラブに選択されたことを検出する、請求項１６記載のクラブ。
【請求項１８】
前記検出部は、前記グリップを前記プレーヤーが所定の時間以上把持した場合に、前記プレーヤーがプレーに使用するクラブに選択されたことを検出する、請求項１７記載のクラブ。
【請求項１９】
請求項９から１１のいずれかに記載の携帯端末から送信された前記グリップ振動信号を受信する受信部と、
前記グリップ振動信号の受信に応答して、前記グリップ部を振動させる振動部と、を有するクラブ。
【請求項２０】
クラブと、ゴルフコースでプレーするプレーヤーに携帯される携帯端末と、管理サーバからなるシステムによるプレーヤー安全管理方法であって、
前記プレーヤーがプレーに使用するクラブに選択されたことを検出する検出ステップと、
前記検出されたクラブを特定するクラブ情報を前記携帯端末に送信する第１送信ステップと、
前記送信されたクラブ情報を受信する第１受信ステップと、
前記クラブの想定飛距離を記憶する飛距離記憶ステップと、
前記記憶された想定飛距離に基づき、前記クラブ情報で特定されるクラブの飛距離を示す飛距離情報を生成する飛距離情報生成ステップと、
前記プレーヤーの位置情報を取得する位置情報取得ステップと、
前記飛距離情報および前記プレーヤーの位置情報を前記管理サーバに送信する第２送信ステップと、
前記送信された飛距離情報および前記プレーヤーの位置情報を受信する第２受信ステップと、
前記ゴルフコースでプレーする全てのプレーヤーにそれぞれ携帯される携帯端末から送信された全てのプレーヤーの位置情報を記憶するプレーヤー位置情報記憶ステップと、
前記ゴルフコースの地理的情報を記憶する地理的情報記憶ステップと、
前記受信された飛距離情報および前記プレーヤーの位置情報と、前記記憶された地理的情報および前記プレーヤー以外の他のプレーヤーの位置情報と、に基づき、前記プレーヤーのプレーの進行の可否を判定する判定ステップと、
前記プレーヤーのプレーの進行が不可と判定された場合、前記プレーヤーにプレーの進行禁止を通知する前記プレー進行不可信号を生成するプレー進行不可信号生成ステップと、
前記生成されたプレー進行不可信号を前記携帯端末に送信する第３送信ステップと、
前記送信されたプレー進行不可信号を受信する第３受信ステップと、を有するプレーヤー安全管理方法。
【発明の詳細な説明】
【技術分野】
【０００１】
本発明は、ゴルフ競技において効率的かつ安全にプレーヤーのプレーの進行を管理するプレーヤー安全管理システム、携帯端末、管理サーバ、クラブおよびプレーヤー安全管理方法に関する。
【背景技術】
【０００２】
ゴルフ競技において、各プレーヤーのプレーの進行状況を把握することは、効率的なプレーの進行や安全上の観点から重要である。
【０００３】
そこで、特許文献１には、各ホールにプレーヤーの位置計測装置を設け、各プレーヤーの位置情報を取得し、取得した位置情報を中央制御手段で一括して把握するとともに、取得した位置情報をプレーヤーに提供する技術が開示されている。これにより、ゴルフ場の管理者は、各ホールにおけるプレーヤーのプレーの進行状況を一括して知ることができる。また、プレーヤーは、前後の組のプレーの進行状況を把握することができ、次のホールに移動する時期やプレーを進行する時期を判断することができる。
【０００４】
また、特許文献２には、プレーヤーの使用するゴルフカートに距離センサを設け、先発組のゴルフカートが、後発組のゴルフカートから所定の距離の範囲内にある場合には、ホール上の所定の位置に設置された案内装置から後発組のプレーヤーに警報を発する技術が開示されている。
【先行技術文献】
【特許文献】
【０００５】
【特許文献１】特開２００４−１０１２２９号公報
【特許文献２】特開平５−１３１０４１号公報
【発明の概要】
【発明が解決しようとする課題】
【０００６】
しかしながら、特許文献１に開示の技術では、プレーヤーは他のプレーヤーの位置情報を知ることはできるが、他のプレーヤーとの間に、安全にプレーを進行することができる距離が確保できているかを、プレーヤーが判断することは難しいという課題がある。
【０００７】
また、特許文献２に開示の技術では、先発組と後発組のゴルフカートの距離によりプレーの進行の可否を判断するため、プレーヤーは、他のプレーヤーとの間に、安全にプレーを進行することができる距離が確保できているかを、容易に判断することができる。しかし、プレーヤーへの警報が、先発組と後発組のゴルフカートの距離を基準にして行われているため、プレーヤーの技能によっては安全にプレーを進行できる距離が確保されているにも関わらず、プレーの進行が制限され、効率的なプレーの進行管理ができないという課題がある。
【０００８】
本発明の目的は、上述した課題のいずれかを解決することができるプレーヤー安全管理システム、携帯端末、管理サーバ、クラブおよびプレーヤー安全管理方法を提供することにある。
【課題を解決するための手段】
【０００９】
上記目的を達成するために本発明のプレーヤー安全管理システムは、
クラブと、ゴルフコースでプレーするプレーヤーに携帯される携帯端末と、管理サーバと、からなるプレーヤー安全管理システムであって、
前記クラブは、
前記プレーヤーがプレーに使用するクラブに選択されたことを検出する検出部と、
前記検出されたクラブを特定するクラブ情報を前記携帯端末に送信する第１送信部と、を有し、
前記携帯端末は、
前記送信されたクラブ情報を受信する第１受信部と、
前記クラブの想定飛距離を記憶する飛距離記憶部と、
前記記憶された想定飛距離に基づき、前記クラブ情報で特定されるクラブの飛距離を示す飛距離情報を生成する飛距離情報生成部と、
前記プレーヤーの位置情報を取得する位置情報取得部と、
前記飛距離情報および前記プレーヤーの位置情報を前記管理サーバに送信する第２送信部と、
前記管理サーバから送信される、前記プレーヤーにプレーの進行禁止を通知するプレー進行不可信号を受信する第２受信部と、を有し、
前記管理サーバは、
前記送信された飛距離情報および前記プレーヤーの位置情報を受信する第３受信部と、
前記ゴルフコースでプレーする全てのプレーヤーにそれぞれ携帯される携帯端末から送信された全てのプレーヤーの位置情報を記憶するプレーヤー位置情報記憶部と、
前記ゴルフコースの地理的情報を記憶する地理的情報記憶部と、
前記受信された飛距離情報および前記プレーヤーの位置情報と、前記記憶された地理的情報および前記プレーヤー以外の他のプレーヤーの位置情報と、に基づき、前記プレーヤーのプレーの進行の可否を判定する判定部と、
前記プレーヤーのプレーの進行が不可と判定された場合、前記プレー進行不可信号を生成するプレー進行不可信号生成部と、
前記生成されたプレー進行不可信号を前記携帯端末に送信する第３送信部と、を有する。
【００１０】
上記目的を達成するために本発明の携帯端末は、
ゴルフコースでプレーするプレーヤーに携帯され、プレーヤーの使用するクラブおよび管理サーバと通信を行う携帯端末であって、
プレーヤーがプレーに使用すると選択したクラブを特定するクラブ情報を前記クラブから受信する第１受信部と、
前記クラブの想定飛距離を記憶する飛距離記憶部と、
前記記憶された飛距離に基づき、前記クラブ情報で特定されるクラブの飛距離を示す飛距離情報を生成する飛距離情報生成部と、
前記プレーヤーの位置情報を取得する位置情報取得部と、
前記飛距離情報および前記プレーヤーの位置情報を前記管理サーバに送信する第１送信部と、
前記管理サーバから送信された、前記プレーヤーにプレーの進行禁止を通知するプレー進行不可信号を受信する第２受信部と、を有する。
【００１１】
上記目的を達成するために本発明の管理サーバは、
ゴルフコースでプレーするプレーヤーに携帯される携帯端末から、前記プレーヤーがプレーに使用すると選択したクラブの飛距離を示す飛距離情報と、前記プレーヤーの位置情報とを受信する受信部と、
前記ゴルフコースをプレーする全てのプレーヤーにそれぞれ携帯される携帯端末から送信された全てのプレーヤーの位置情報を記憶するプレーヤー位置情報記憶部と、
前記ゴルフコースの地理的情報を記憶する地理的情報記憶部と、
前記受信された飛距離情報および前記プレーヤーの位置情報と、前記記憶された地理的情報および前記プレーヤー以外の他のプレーヤーの位置情報と、に基づき、前記プレーヤーのプレーの進行の可否を判定する判定部と、
前記プレーヤーのプレーの進行が不可と判定された場合、前記プレーヤーにプレーの進行禁止を通知するプレー進行不可信号を生成するプレー進行不可信号生成部と、
前記生成されたプレー進行不可信号を前記携帯端末に送信する送信部と、を有する。
【００１２】
上記目的を達成するために本発明のクラブは、
ゴルフコースでプレーするプレーヤーに携帯される携帯端末と通信を行うクラブであって、
前記クラブの飛距離に基づき、プレーヤーがプレーを進行することが不可であると判定された場合に、前記携帯端末から送信される、前記クラブを構成するグリップ部を振動させるグリップ振動信号を受信するグリップ振動信号受信部と、
前記グリップ振動信号の受信に応答して、前記グリップ部を振動させる振動部と、を有する。
【００１３】
上記目的を達成するために本発明のプレーヤー安全管理方法は、
クラブと、ゴルフコースでプレーするプレーヤーに携帯される携帯端末と、管理サーバからなるシステムによるプレーヤー安全管理方法であって、
前記プレーヤーがプレーに使用するクラブに選択されたことを検出する検出ステップと、
前記検出されたクラブを特定するクラブ情報を前記携帯端末に送信する第１送信ステップと、
前記送信されたクラブ情報を受信する第１受信ステップと、
前記クラブの想定飛距離を記憶する飛距離記憶ステップと、
前記記憶された想定飛距離に基づき、前記クラブ情報で特定されるクラブの飛距離を示す飛距離情報を生成する飛距離情報生成ステップと、
前記プレーヤーの位置情報を取得する位置情報取得ステップと、
前記飛距離情報および前記プレーヤーの位置情報を前記管理サーバに送信する第２送信ステップと、
前記送信された飛距離情報および前記プレーヤーの位置情報を受信する第２受信ステップと、
前記ゴルフコースでプレーする全てのプレーヤーにそれぞれ携帯される携帯端末から送信された全てのプレーヤーの位置情報を記憶するプレーヤー位置情報記憶ステップと、
前記ゴルフコースの地理的情報を記憶する地理的情報記憶ステップと、
前記受信された飛距離情報および前記プレーヤーの位置情報と、前記記憶された地理的情報および前記プレーヤー以外の他のプレーヤーの位置情報と、に基づき、前記プレーヤーのプレーの進行の可否を判定する判定ステップと、
前記プレーヤーのプレーの進行が不可と判定された場合、前記プレーヤーにプレーの進行禁止を通知する前記プレー進行不可信号を生成するプレー進行不可信号生成ステップと、
前記生成されたプレー進行不可信号を前記携帯端末に送信する第３送信ステップと、
前記送信されたプレー進行不可信号を受信する第３受信ステップと、を有する。
【発明の効果】
【００１４】
本発明によれば、プレーヤーの選択したクラブの想定飛距離とプレーヤーや他のプレーヤーの位置情報に基づいて、プレー進行の可否の判定を行うので、他のプレーヤーとの間に安全にプレーを進行することができる距離を確保できているかをプレーヤーが容易に認識することができる。また、プレーヤーの使用するクラブに応じてプレーの進行が制限される範囲が異なるため、より効率的にプレーの進行管理を行うことができる。
【図面の簡単な説明】
【００１５】
【図１】本発明の一実施形態のプレーヤー安全管理システムの構成を示すブロック図である。
【図２】本発明の一実施形態のプレーヤー安全管理システムに適用されるクラブの構成を示す図である。
【図３】全ホール情報記憶部に記憶されるホール情報の一例を示す図である。
【図４】本発明の一実施形態のプレーヤー安全管理システムの動作の一例を示すシーケンス図である。
【図５】プレーヤー位置情報記憶部に記憶されるプレーヤーの位置情報の一例を示す図である。
【図６】クラブ飛距離記憶部に記憶される各クラブの飛距離の一例を示す図である。
【図７】表示部に表示される画面の一例を示す図である。
【発明を実施するための形態】
【００１６】
以下に、本発明を実施するための形態について図面を参照して説明する。
【００１７】
図１は、本実施形態のプレーヤー安全管理システムの構成の一例を示すブロック図である。
【００１８】
本実施形態のプレーヤー安全管理システムは、プレーヤーが使用するクラブ１００と、プレーするプレーヤーに携帯されるプレーヤー携帯端末２００と、プレーヤー安全管理サーバ３００と、を有する。クラブ１００とプレーヤー携帯端末２００は、ネットワーク４００により接続されている。また、プレーヤー携帯端末２００とプレーヤー安全管理サーバ３００も、ネットワーク４００により接続されている。
【００１９】
なお、図１においては、図面の都合上、クラブ１００およびプレーヤー携帯端末２００をそれぞれ１つだけ示しているが、これらは複数存在しても良いものとする。
【００２０】
次に、クラブ１００の構成について説明する。なお、本実施形態のプレーヤー安全管理システムに適用されるクラブ１００は、図２に示すように、グリップ部１１と、シャフト部１２と、ヘッド部１３と、を有する一般的なクラブと同様の構成である。
【００２１】
クラブ１００は、グリップ検出部１０１と、送信部１０２と、受信部１０３と、グリップ振動部１０４と、を有する。
【００２２】
グリップ検出部１０１は、クラブ１００のグリップ部１１に設けられ、プレーヤーがプレーを開始する際に、プレーヤーによりクラブ１００のグリップ部１１が握られたことを検出する。
【００２３】
なお、プレーヤーによりグリップ部１１が握られたことを検出する方法としては、例えば、ゴルフボールを打つ際にプレーヤーの左右の手で握られる位置に導電端子を設けておく方法がある。この方法では、プレーヤーの体内を介して流れる微弱な電流を検出し、導電端子間の導電状態を基に、グリップ部１１が握られたことを検出する。
【００２４】
また、例えば、プレーヤーが偶然、グリップ部１１を握った場合に、プレーを行うためにグリップ部１１を握ったと誤検出することを防ぐため、一定時間以上、導電端子間で導電したときに、プレーヤーによりグリップ部１１が握られたと検出するようにすることも可能である。
【００２５】
送信部１０２は、グリップ検出部１０１により、プレーヤーがグリップ部１１を握ったことが検出されると、自身のクラブを示すクラブ種別情報を、プレーヤー携帯端末２００に送信する。
【００２６】
受信部１０３は、プレーヤー携帯端末２００から送信された、クラブ１００のグリップ部１１を振動させることを要求するグリップ振動信号を受信し、グリップ振動部１０４に出力する。
【００２７】
グリップ振動部１０４は、受信部１０３から出力されたグリップ振動信号に基づき、クラブ１００のグリップ部１１を振動させる。
【００２８】
なお、グリップ部１１を振動させる方法としては、例えば、グリップ部１１に配置された振動素子とクラブ１００においてプレーに影響しない部分に設置された電気回路とを接続し、電気回路により振動素子を駆動させる方法がある。振動素子としては、グリップ部１１を握ったプレーヤーの手に振動を感知させることのできる振動を発生するものであればよく、例えば、振動子等が利用される
次に、プレーヤー携帯端末２００の構成について説明する。
【００２９】
プレーヤー携帯端末２００は、受信部２０１と、クラブ飛距離記憶部２０２と、飛距離情報生成部２０３と、ホール情報取得部２０４と、表示部２０５と、プレー進行不可通知取得部２０６と、アラーム音発生部２０７と、グリップ振動信号生成部２０８と、プレーヤー位置情報取得部２０９と、送信部２１０と、を有する。
【００３０】
受信部２０１は、クラブ１００やプレーヤー安全管理サーバ３００から送信された種々の信号を受信する。
【００３１】
クラブ飛距離記憶部２０２は、プレーヤーが使用する各クラブ１００の想定飛距離を記憶する。なお、クラブ飛距離記憶部２０２に記憶される想定飛距離は、あらかじめ各クラブに定められた値としたり、プレーヤーにより設定された値としたりすることが可能である。
【００３２】
飛距離情報生成部２０３は、受信部２０１を介して、クラブ１００から送信されたクラブ種別情報を取得すると、クラブ飛距離記憶部２０２に記憶された各クラブの想定飛距離を参照し、クラブ種別情報で示されたクラブの想定飛距離を示す飛距離情報を生成し、送信部２１０に出力する。
【００３３】
ホール情報取得部２０４は、受信部２０１を介して、プレーヤー安全管理サーバ３００から送信された、プレーヤーがプレー中のホールのティーグラウンドやグリーンの位置、ティーグラウンドから見たグリーンの方向といった地理的な情報等を含むホール情報を取得し、表示部２０５に表示する。
【００３４】
プレー進行不可通知取得部２０６は、受信部２０１を介して、プレーヤー安全管理サーバ３００から送信された、プレーヤーに対してプレーを進行することができないことを通知するプレー進行不可通知を取得する。そして、プレー進行不可通知取得部２０６は、プレー進行不可通知を取得すると、アラーム音発生部２０７にアラーム音を発生させるとともに、グリップ振動信号生成部２０８に、グリップ振動信号の生成を要求する。
【００３５】
グリップ振動信号生成部２０８は、プレー進行不可通知取得部２０６からの要求に基づき生成したグリップ振動信号を、送信部２１０に出力する。
【００３６】
プレーヤー位置情報取得部２０９は、ＧＰＳ（Ｇｌｏｂａｌ  Ｐｏｓｉｔｉｏｎｉｎｇ  Ｓｙｓｔｅｍ）等により、定期的に、プレーヤーの位置を示すプレーヤー位置情報を取得し、送信部２１０に出力する。
【００３７】
送信部２１０は、グリップ振動信号生成部２０８から出力されたグリップ振動信号を、クラブ１００に送信する。また、送信部２１０は、飛距離情報生成部２０３から出力された飛距離情報や、プレーヤー位置情報取得部２０９から出力されたプレーヤー位置情報を、プレーヤー安全管理サーバ３００に送信する。
【００３８】
次に、プレーヤー安全管理サーバ３００の構成について説明する。
【００３９】
プレーヤー安全管理サーバ３００は、受信部３０１と、プレーヤー位置情報記憶部３０２と、全ホール情報記憶部３０３と、プレー進行可否判定部３０４と、送信部３０５と、を有する。
【００４０】
受信部３０１は、プレーヤー携帯端末２００から送信されたプレーヤー位置情報や飛距離情報を受信する。
【００４１】
プレーヤー位置情報記憶部３０２は、受信部３０１を介して、プレーヤー携帯端末２００から取得したプレーヤー位置情報を記憶する。また、プレーヤー位置情報記憶部３０２は、各プレーヤーのプレーヤー位置情報を、全ホール情報記憶部３０３に出力する。
【００４２】
全ホール情報記憶部３０３は、図３に示すように、各ホール４００のティーグラウンド４０１やグリーン４０２の位置やティーグラウンド４０１から見たグリーン４０２の方向４０３といった地理的情報等を含むホール情報を記憶している。また、全ホール情報記憶部３０３は、プレーヤー位置情報記憶部３０２から出力されたプレーヤー位置情報に基づき、プレーヤーがプレー中のホール４００のホール情報を定期的に、送信部３０５に出力する。
【００４３】
プレー進行可否判定部３０４は、プレーヤー携帯端末２００から送信された飛距離情報およびプレーヤー位置情報と、全ホール情報記憶部３０３に記憶された各ホール４００のホール情報に基づき、プレーヤーがプレーを進行することが可能か判定を行う。そして、プレー進行可否判定部３０４は、プレーヤーがプレーを進行することができないと判定した場合、プレー進行不可通知を送信部３０５に出力する。
【００４４】
送信部３０５は、全ホール情報記憶部３０３から出力されたホール情報や、プレー進行可否判定部３０４から出力されたプレー進行不可通知をプレーヤー携帯端末２００に送信する。
【００４５】
図４は、本実施形態のプレーヤー安全管理システムの動作の一例を示すシーケンス図である。
【００４６】
プレーヤー携帯端末２００は、プレーヤー位置情報取得部２０９により、ＧＰＳ等から、定期的にプレーヤー位置情報を取得する（ステップＡ１）。そして、プレーヤー携帯端末２００は、取得したプレーヤー位置情報を、送信部２１０により、プレーヤー安全管理サーバ３００に送信する（ステップＡ２）。
【００４７】
プレーヤー安全管理サーバ３００は、プレーヤー携帯端末２００から送信されたプレーヤー位置情報を受信し、プレーヤー位置情報記憶部３０２で記憶する（ステップＡ３）。
【００４８】
図５は、プレーヤー位置情報記憶部３０２で記憶されるプレーヤー位置情報の一例を示す図である。図５の例では、ホール１では、プレーヤー１とプレーヤー２がティーグラウンド４０１に存在している。また、ホール２では、プレーヤー３とプレーヤー４がティーグラウンド４０１に存在し、また、プレーヤー５とプレーヤー６がグリーン４０２付近に存在している。また、ホール３では、プレーヤー７とプレーヤー８がティーグラウンド４０１付近に存在している。
【００４９】
このように、プレーヤー安全管理サーバ３００は、プレーヤー携帯端末２００から送信されたプレーヤー位置情報と、全ホール情報記憶部３０３に記憶された各ホールのホール情報に基づき、各プレーヤーが、どのホール４００に存在するか、各ホール４００のどの部分に存在するかを、プレーヤー位置情報記憶部３０２で、逐次更新しながら、記憶する。
【００５０】
次に、プレーヤーがプレーのためにクラブ１００を選択し、グリップ部１１を握ると、クラブ１００は、グリップ検出部１０１で、グリップ部１１が握られたことを検出する（ステップＡ４）。そして、クラブ１００は、自身のクラブを示すクラブ種別情報を、送信部１０２により、プレーヤー携帯端末２００に送信する（ステップＡ５）。
【００５１】
プレーヤー携帯端末２００は、クラブ１００から送信されたクラブ種別情報を、飛距離情報生成部２０３で取得する。飛距離情報生成部２０３は、クラブ種別情報を取得すると、クラブ飛距離記憶部２０２に記憶された各クラブの想定飛距離に基づき、飛距離情報を生成する（ステップＡ６）。
【００５２】
図６は、クラブ飛距離記憶部２０２に記憶される各クラブの想定飛距離の一例を示す図である。
【００５３】
例えば、ｘウッドでは２４０ヤードが、ｙウッドでは２００ヤードが、ｘアイアンでは１００ヤードが、ｙアイアンでは８０ヤードが、パターでは１０ヤードが、それぞれ想定飛距離として、クラブ飛距離記憶部２０２に記憶されている。
【００５４】
そして、例えば、クラブ１００から取得したクラブ種別情報が、ｘウッドを示している場合、飛距離情報生成部２０３は、クラブ飛距離記憶部２０２に記憶されたｘウッドの想定飛距離を参照し、２４０ヤードを飛距離情報とする。
【００５５】
また、プレーヤー携帯端末２００は、クラブ１００からクラブ種別情報を取得すると、プレーヤー位置情報取得部２０９で、プレーヤー位置情報を取得する（ステップＡ７）。
【００５６】
そして、プレーヤー携帯端末２００は、送信部２１０により、取得した飛距離情報およびプレーヤー位置情報をプレーヤー安全管理サーバ３００に送信する（ステップＡ８）。
【００５７】
プレーヤー安全管理サーバ３００は、プレーヤー携帯端末２００から送信された飛距離情報およびプレーヤー位置情報を取得すると、プレー進行可否判定部３０４で、プレーヤーがプレーを進行してよいかの判定を行う。
【００５８】
具体的には、プレー進行可否判定部３０４は、全ホール情報記憶部３０３に記憶された各ホールのホール情報（ティーグラウンドやグリーンの位置、ティーグラウンドから見たグリーンの方向）と、プレーヤー携帯端末２００から送信されたプレーヤー位置情報および飛距離情報とから、ゴルフボールが飛ぶことが想定される範囲を特定する。また、プレー進行可否判定部３０４は、ゴルフボールが飛ぶことが想定される範囲に、他のプレーヤーが存在しないかを、プレーヤー位置情報記憶部３０２に記憶されているプレーヤー位置情報に基づき判定する（ステップＡ９）。
【００５９】
そして、プレー進行可否判定部３０４は、ゴルフボールが飛ぶことが想定される範囲に、他のプレーヤーが存在する場合には、プレーヤーに対してプレーを進行することができないことを通知するプレー進行不可通知を、送信部３０５により、プレーヤー携帯端末２００に送信する。また、プレーヤー安全管理サーバ３００は、ゴルフボールが飛ぶことが想定される範囲や、他のプレーヤーのプレーヤー位置情報を含むホール情報をプレーヤー携帯端末２００に送信する（ステップＡ１０）。
【００６０】
プレーヤー携帯端末２００は、プレーヤー安全管理サーバ３００からプレー進行不可通知を取得すると、アラーム音発生部２０７でアラーム音を発生させる（ステップＡ１１）。
【００６１】
また、プレーヤー携帯端末２００は、プレーヤー安全管理サーバ３００からホール情報を取得すると、取得したホール情報を、表示部２０５に表示する（ステップＡ１２）。
【００６２】
図７は、プレーヤー携帯端末２００の表示部２０５に表示される画面の一例を示す図である。
【００６３】
図７に示すように、プレーヤー携帯端末２００は、ティーグラウンド４０１やグリーン４０２の位置だけでなく、他のプレーヤー（プレーヤー５やプレーヤー６）のプレーヤー位置情報や、ゴルフボールが飛ぶことが想定される範囲６０１に関する情報も表示部２０５に表示する。図７の例では、ゴルフボールが飛ぶことが想定される範囲６０１に、プレーヤー５が存在していることを示している。
【００６４】
また、プレーヤー携帯端末２００は、受信部２０１を介して、プレーヤー安全管理サーバ３００からプレー進行不可通知を取得すると、グリップ振動信号生成部２０８で、グリップ振動信号を生成する（ステップＡ１３）。そして、プレーヤー携帯端末２００は、生成したグリップ振動信号を、送信部２１０により、クラブ１００に送信する（ステップＡ１４）。
【００６５】
クラブ１００は、プレーヤー携帯端末２００から、グリップ振動信号を受信すると、グリップ振動部１０４で、クラブ１００のグリップ部１１を振動させる（ステップＡ１５）。このように、ゴルフをプレーする上で重要なクラブ１００のグリップ部１１を振動させることにより、プレーヤーがプレーヤー携帯端末２００の発するアラーム音を聞き逃したり、表示部２０５に表示されているホール情報を見逃したとしても、確実にプレーヤーのプレーを中断させることができる。
【００６６】
なお、プレーヤー安全管理サーバ３００は、上述したようにプレーヤー位置情報を記憶しているので、プレーヤー携帯端末２００にプレー進行不可通知を送信する際に、予想される待ち時間を合わせて送信することも可能である。
【００６７】
以上述べたように、本実施形態のプレーヤー安全管理システムでは、プレーヤーの選択したクラブの想定飛距離とプレーヤーや他のプレーヤーの位置情報に基づいて、プレー進行の可否の判定を行うので、他のプレーヤーとの間に安全にプレーを進行することができる距離を確保できているかをプレーヤーが容易に認識することができる。また、プレーヤーの使用するクラブに応じて、プレーの進行が制限される範囲が異なるため、より効率的にプレーの進行管理を行うことができる。
【００６８】
また、本実施形態のプレーヤー安全管理システムでは、プレーの進行を制限する際に、プレーヤーの使用するクラブのグリップ部分を振動させるので、より確実にプレーヤーに対してプレーの進行の制限を通知することができる。
【符号の説明】
【００６９】
１００  クラブ
２００  プレーヤー携帯端末
３００  プレーヤー安全管理サーバ
１０１  グリップ検出部
１０２  送信部
１０３  受信部
１０４  グリップ振動部
２０１  受信部
２０２  クラブ飛距離記憶部
２０３  飛距離情報生成部
２０４  ホール情報取得部
２０５  表示部
２０６  プレー進行不可通知取得部
２０７  アラーム音発生部
２０８  グリップ振動信号生成部
２０９  プレーヤー位置情報取得部
２１０  送信部
３０１  受信部
３０２  プレーヤー位置情報記憶部
３０３  全コース情報記憶部
３０４  プレー進行可否判定部
３０５  送信部
１１  グリップ部
１２  シャフト部
１３  ヘッド部
【図１】
2010167176.tif 000003
【図２】
2010167176.tif 000004
【図３】
2010167176.tif 000005
【図４】
2010167176.tif 000006
【図５】
2010167176.tif 000007
【図６】
2010167176.tif 000008
【図７】
2010167176.tif 000009